(57)【要約】【課題】迅速にチャンネル切り替えを行なうことができ、ネットワーク帯域を有効に活用することができるデジタル番組送信装置を提供する。【解決手段】ＩＰパケット化された、第一、又は第二の編成チャンネルを含むシステム多重化ストリームを受信するＩＰ受信部６０１と、ＩＰパケット化された、前記第一又は第二の編成チャンネルを低帯域化したストリームが多重化されたシステム多重化ストリームを受信する集約チャンネル受信部６０２と、前記各編成チャンネルと前記多重化され低帯域化された各ストリームとの対応情報を取得する番組選択部６０５と、前記ＩＰ受信部６０１により受信された編成チャンネルのうち単一のチャンネルの映像と、前記集約チャンネル受信部６０２により受信され、前記ＩＰ受信部６０１により受信された編成チャンネルに対応する編成チャンネルを低帯域化した映像とを切り替える映像切替部６１０と、を備える。【選択図】図５
2011023829.tif 000002
【特許請求の範囲】
【請求項１】
ＩＰパケット化された、複数のデジタル番組を含むシステム多重化ストリームを送信するデジタル番組送信装置であって、
第一の編成チャンネルを含むシステム多重化ストリームをＩＰパケット化して送信する第一ＩＰ送信手段と、
第二の編成チャンネルを含むシステム多重化ストリームをＩＰパケット化して送信する第二ＩＰ送信手段と、
少なくとも、前記第一の編成チャンネルを低帯域化したストリームと前記第二の編成チャンネルを低帯域化したストリームを集約して多重化する集約多重化手段と、
前記集約多重化手段によって多重化されたシステム多重化ストリームをＩＰパケット化して送信する集約チャンネル送信手段と、
前記各編成チャンネルと、前記集約多重化手段により低帯域化された各ストリームとを対応付ける手段と、を備えることを特徴とするデジタル番組送信装置。
【請求項２】
ＩＰパケット化された、複数のデジタル番組を含むシステム多重化ストリームを送信するデジタル番組送信装置であって、
第一の編成チャンネルの映像としてＭＰＥＧ−４  ＡＶＣ／Ｈ．２６４  スケーラブル映像符号化の拡張階層を含むシステム多重化ストリームをＩＰパケット化して送信する第一ＩＰ送信手段と、
第二の編成チャンネルの映像としてＭＰＥＧ−４  ＡＶＣ／Ｈ．２６４  スケーラブル映像符号化の拡張階層を含むシステム多重化ストリームをＩＰパケット化して送信する第二ＩＰ送信手段と、
少なくとも、前記第一の編成チャンネルの映像に対するＭＰＥＧ−４  ＡＶＣ／Ｈ．２６４／ＡＶＣ  スケーラブル映像符号化の基本階層のストリームと、前記第二の編成チャンネルの映像に対するＭＰＥＧ−４／ＡＶＣ  スケーラブル映像符号化の基本階層のストリームとを集約して多重化する集約多重化手段と、
前記集約多重化手段によって多重化されたシステム多重化ストリームをＩＰパケット化して送信する集約チャンネル送信手段と、
前記各編成チャンネルと、前記集約多重化手段により多重化された各基本階層のストリームとを対応付ける手段と、を備えることを特徴とするデジタル番組送信装置。
【請求項３】
ＩＰパケット化された、複数のデジタル番組を含むシステム多重化ストリームを送信するデジタル番組送信装置であって、
第一の編成チャンネルを含むシステム多重化ストリームをＩＰパケット化して送信する第一ＩＰ送信手段と、
第二の編成チャンネルを含むシステム多重化ストリームをＩＰパケット化して送信する第二ＩＰ送信手段と、
少なくとも、前記第一の編成チャンネルの映像を低帯域化したＭＰＥＧ−４  ＡＶＣ／Ｈ．２６４の矩形形状のスライスグループと前記第二の編成チャンネルの映像を低帯域化したＭＰＥＧ−４  ＡＶＣ／Ｈ．２６４の矩形形状のスライスグループを同一ピクチャ内で含む映像ストリームを多重化する集約多重化手段と、
前記集約多重化手段により多重化されたシステム多重化ストリームをＩＰパケット化して送信する集約チャンネル送信手段と、
前記各編成チャンネルと、前記集約多重化手段により低帯域化された矩形形状の各スライスグループとを対応付ける手段と、を備えることを特徴とするデジタル番組送信装置。
【請求項４】
前記システム多重化ストリームとしてＭＰＥＧ−２  ＴＳを用いることを特徴とする請求項１ないし３のいずれか１項に記載のデジタル番組送信装置。
【請求項５】
ＩＰパケット化された、複数のデジタル番組を含むシステム多重化ストリームを受信するデジタル番組受信装置であって、
ＩＰパケット化された、第一の編成チャンネルを含むシステム多重化ストリーム、又はＩＰパケット化された、第二の編成チャンネルを含むシステム多重化ストリームのうち、少なくとも一つ以上を受信するＩＰ受信手段と、
ＩＰパケット化された、少なくとも前記第一の編成チャンネルを低帯域化したストリームと前記第二の編成チャンネルを低帯域化したストリームが多重化されているシステム多重化ストリームを受信する集約チャンネル受信手段と、
前記各編成チャンネルと前記多重化され低帯域化された各ストリームとの対応情報を取得する手段と、
前記ＩＰ受信手段により受信された編成チャンネルのうち単一のチャンネルの映像と、前記集約チャンネル受信手段により受信されたシステム多重化ストリームのうち、前記ＩＰ受信手段により受信された編成チャンネルに対応する編成チャンネルを低帯域化した映像とを切り替える映像切替手段と、を備えることを特徴とするデジタル番組受信装置。
【請求項６】
ＩＰパケット化された、複数のデジタル番組を含むシステム多重化ストリームを受信するデジタル番組受信装置であって、
ＩＰパケット化された、第一の編成チャンネルの映像としてＭＰＥＧ−４  ＡＶＣ／Ｈ．２６４スケーラブル映像符号化の拡張階層を含むシステム多重化ストリーム、又はＩＰパケット化された、第二の編成チャンネルの映像としてＭＰＥＧ−４  ＡＶＣ／Ｈ．２６４スケーラブル映像符号化の拡張階層を含むシステム多重化ストリームのうち、少なくとも一つ以上を受信するＩＰ受信手段と、
ＩＰパケット化された、少なくとも前記第一の編成チャンネルの映像に対するＭＰＥＧ−４  ＡＶＣ／Ｈ．２６４  スケーラブル映像符号化の基本階層のストリームと、前記第二の編成チャンネルの映像に対するＭＰＥＧ−４  ＡＶＣ／Ｈ．２６４  スケーラブル映像符号化の基本階層のストリームが多重化されたシステム多重化ストリームを受信する集約チャンネル受信手段と、
前記各編成チャンネルと前記多重化され低帯域化された各ストリームとの対応情報を取得する手段と、
前記集約チャンネル受信手段により受信されたシステム多重化ストリームのうち、前記第一の編成チャンネルの基本階層のみを復号した映像と、前記ＩＰ受信手段により受信された第一の編成チャンネルの拡張階層と、前記集約チャンネル受信手段により受信されたシステム多重化ストリームのうち、前記第一の編成チャンネルの基本階層を合わせて復号した映像とを切り替える映像切替部と、を備えることを特徴とするデジタル番組受信装置。
【請求項７】
ＩＰパケット化された、複数のデジタル番組を含むシステム多重化ストリームを受信するデジタル番組受信装置であって、
ＩＰパケット化された、第一の編成チャンネルを含むシステム多重化ストリーム、又はＩＰパケット化された、第二の編成チャンネルを含むシステム多重化ストリームのうち、少なくとも一つ以上を受信するＩＰ受信手段と、
ＩＰパケット化された、少なくとも前記第一の編成チャンネルの映像を低帯域化したＭＰＥＧ−４  ＡＶＣ／Ｈ．２６４の矩形形状のスライスグループと、前記第二の編成チャンネルの映像を低帯域化したＭＰＥＧ−４  ＡＶＣ／Ｈ．２６４の矩形形状のスライスグループを同一ピクチャ内で含む映像ストリームが多重化されているシステム多重化ストリームを受信する集約チャンネル受信手段と、
前記各編成チャンネルと前記多重化され低帯域化された矩形形状の各スライスグループとの対応情報を取得する手段と、
前記ＩＰ受信手段により受信された編成チャンネルのうち単一のチャンネルの映像と、前記集約チャンネル受信手段により受信されたシステム多重化ストリームのうち、前記ＩＰ受信手段により受信された編成チャンネルに対応する矩形形状のスライスグループの映像とを切り替える映像切替部と、を備えることを特徴とするデジタル番組受信装置。
【請求項８】
前記システム多重化ストリームとしてＭＰＥＧ−２  ＴＳを用いることを特徴とする請求項５ないし７のいずれか１項に記載のデジタル番組受信装置。
【請求項９】
ＩＰパケット化された、複数のデジタル番組を含むシステム多重化ストリームを送信するデジタル番組送信装置であって、
第一の編成チャンネルを含むシステム多重化ストリームをＩＰパケット化して送信する第一ＩＰ送手段と、
第二の編成チャンネルを含むシステム多重化ストリームをＩＰパケット化して送信する第二ＩＰ送信手段と、
少なくとも、前記第一の編成チャンネルを低帯域化したストリームと前記第二の編成チャンネルを低帯域化したストリームを集約して多重化する集約多重化手段と、
前記集約多重化手段によって多重化されたシステム多重化ストリームをＩＰパケット化して送信する集約チャンネル送信手段と、
前記各編成チャンネルと、前記集約多重化手段により低帯域化された各ストリームとを対応付ける手段と、を有したデジタル番組送信装置と、
ＩＰパケット化された、複数のデジタル番組を含むシステム多重化ストリームを受信するデジタル番組受信装置であって、
ＩＰパケット化された、第一の編成チャンネルを含むシステム多重化ストリーム、又はＩＰパケット化された、第二の編成チャンネルを含むシステム多重化ストリームのうち、少なくとも一つ以上を受信するＩＰ受信手段と、
ＩＰパケット化された、少なくとも前記第一の編成チャンネルを低帯域化したストリームと前記第二の編成チャンネルを低帯域化したストリームが多重化されているシステム多重化ストリームを受信する集約チャンネル受信手段と、
前記各編成チャンネルと前記多重化され低帯域化された各ストリームとの対応情報を取得する手段と、
前記ＩＰ受信手段により受信された編成チャンネルのうち単一のチャンネルの映像と、前記集約チャンネル受信手段により受信されたシステム多重化ストリームのうち、前記ＩＰ受信手段により受信された編成チャンネルに対応する編成チャンネルを低帯域化した映像とを切り替える映像切替手段と、を有したデジタル番組受信装置と、を備えることを特徴とするデジタル番組送受信システム。
【請求項１０】
ＩＰパケット化された、複数のデジタル番組を含むシステム多重化ストリームを送信するデジタル番組送信装置であって、
第一の編成チャンネルの映像としてＭＰＥＧ−４  ＡＶＣ／Ｈ．２６４  スケーラブル映像符号化の拡張階層を含むシステム多重化ストリームをＩＰパケット化して送信する第一ＩＰ送信手段と、
第二の編成チャンネルの映像としてＭＰＥＧ−４  ＡＶＣ／Ｈ．２６４  スケーラブル映像符号化の拡張階層を含むシステム多重化ストリームをＩＰパケット化して送信する第二ＩＰ送信手段と、
少なくとも、前記第一の編成チャンネルの映像に対するＭＰＥＧ−４  ＡＶＣ／Ｈ．２６４／ＡＶＣ  スケーラブル映像符号化の基本階層のストリームと、前記第二の編成チャンネルの映像に対するＭＰＥＧ−４／ＡＶＣ  スケーラブル映像符号化の基本階層のストリームとを集約して多重化する集約多重化手段と、
前記集約多重化手段によって多重化されたシステム多重化ストリームをＩＰパケット化して送信する集約チャンネル送信手段と、
前記各編成チャンネルと、前記集約多重化手段により多重化された各基本階層のストリームとを対応付ける手段と、を有したデジタル番組送信装置と、
ＩＰパケット化された、複数のデジタル番組を含むシステム多重化ストリームを受信するデジタル番組受信装置であって、
ＩＰパケット化された、第一の編成チャンネルの映像としてＭＰＥＧ−４  ＡＶＣ／Ｈ．２６４スケーラブル映像符号化の拡張階層を含むシステム多重化ストリーム、又はＩＰパケット化された、第二の編成チャンネルの映像としてＭＰＥＧ−４  ＡＶＣ／Ｈ．２６４スケーラブル映像符号化の拡張階層を含むシステム多重化ストリームのうち、少なくとも一つ以上を受信するＩＰ受信手段と、
ＩＰパケット化された、少なくとも前記第一の編成チャンネルの映像に対するＭＰＥＧ−４  ＡＶＣ／Ｈ．２６４  スケーラブル映像符号化の基本階層のストリームと、前記第二の編成チャンネルの映像に対するＭＰＥＧ−４  ＡＶＣ／Ｈ．２６４  スケーラブル映像符号化の基本階層のストリームが多重化されたシステム多重化ストリームを受信する集約チャンネル受信手段と、
前記各編成チャンネルと前記多重化され低帯域化された各ストリームとの対応情報を取得する手段と、
前記集約チャンネル受信手段により受信されたシステム多重化ストリームのうち、前記第一の編成チャンネルの基本階層のみを復号した映像と、前記ＩＰ受信手段により受信された第一の編成チャンネルの拡張階層と、前記集約チャンネル受信手段により受信されたシステム多重化ストリームのうち、前記第一の編成チャンネルの基本階層を合わせて復号した映像とを切り替える映像切替部と、を有したデジタル番組受信装置と、を備えることを特徴とするデジタル番組送受信システム。
【請求項１１】
ＩＰパケット化された、複数のデジタル番組を含むシステム多重化ストリームを送信するデジタル番組送信装置であって、
第一の編成チャンネルを含むシステム多重化ストリームをＩＰパケット化して送信する第一ＩＰ送信手段と、
第二の編成チャンネルを含むシステム多重化ストリームをＩＰパケット化して送信する第二ＩＰ送信手段と、
少なくとも、前記第一の編成チャンネルの映像を低帯域化したＭＰＥＧ−４  ＡＶＣ／Ｈ．２６４の矩形形状のスライスグループと前記第二の編成チャンネルの映像を低帯域化したＭＰＥＧ−４  ＡＶＣ／Ｈ．２６４の矩形形状のスライスグループを同一ピクチャ内で含む映像ストリームを多重化する集約多重化手段と、
前記集約多重化手段により多重化されたシステム多重化ストリームをＩＰパケット化して送信する集約チャンネル送信手段と、
前記各編成チャンネルと、前記集約多重化手段により低帯域化された矩形形状の各スライスグループとを対応付ける手段と、を有したデジタル番組送信装置と、
ＩＰパケット化された、複数のデジタル番組を含むシステム多重化ストリームを受信するデジタル番組受信装置であって、
ＩＰパケット化された、第一の編成チャンネルを含むシステム多重化ストリーム、又はＩＰパケット化された、第二の編成チャンネルを含むシステム多重化ストリームのうち、少なくとも一つ以上を受信するＩＰ受信手段と、
ＩＰパケット化された、少なくとも前記第一の編成チャンネルの映像を低帯域化したＭＰＥＧ−４  ＡＶＣ／Ｈ．２６４の矩形形状のスライスグループと、前記第二の編成チャンネルの映像を低帯域化したＭＰＥＧ−４  ＡＶＣ／Ｈ．２６４の矩形形状のスライスグループを同一ピクチャ内で含む映像ストリームが多重化されているシステム多重化ストリームを受信する集約チャンネル受信手段と、
前記各編成チャンネルと前記多重化され低帯域化された矩形形状の各スライスグループとの対応情報を取得する手段と、
前記ＩＰ受信手段により受信された編成チャンネルのうち単一のチャンネルの映像と、前記集約チャンネル受信手段により受信されたシステム多重化ストリームのうち、前記ＩＰ受信手段により受信された編成チャンネルに対応する矩形形状のスライスグループの映像とを切り替える映像切替部と、を有したデジタル番組受信装置と、を備えることを特徴とするデジタル番組送受信システム。
【請求項１２】
ＩＰパケット化された、複数のデジタル番組を含むシステム多重化ストリームを送信するデジタル番組送信方法であって、
第一ＩＰ送信手段が、第一の編成チャンネルを含むシステム多重化ストリームをＩＰパケット化して送信する第一ＩＰ送信ステップと、
第二ＩＰ送信手段が、第二の編成チャンネルを含むシステム多重化ストリームをＩＰパケット化して送信する第二ＩＰ送信ステップと、
集約多重化手段が、少なくとも、前記第一の編成チャンネルを低帯域化したストリームと前記第二の編成チャンネルを低帯域化したストリームを集約して多重化する集約多重化ステップと、
集約チャンネル送信手段が、前記集約多重化手段によって多重化されたシステム多重化ストリームをＩＰパケット化して送信する集約チャンネル送信ステップと、
番組情報対応付け手段が、前記各編成チャンネルと、前記集約多重化手段により低帯域化された各ストリームとを対応付けるステップと、を備えることを特徴とするデジタル番組送信方法。
【請求項１３】
ＩＰパケット化された、複数のデジタル番組を含むシステム多重化ストリームを送信するデジタル番組送信方法であって、
第一ＩＰ送信手段が、第一の編成チャンネルの映像としてＭＰＥＧ−４  ＡＶＣ／Ｈ．２６４  スケーラブル映像符号化の拡張階層を含むシステム多重化ストリームをＩＰパケット化して送信する第一ＩＰ送信ステップと、
第二ＩＰ送信手段が、第二の編成チャンネルの映像としてＭＰＥＧ−４  ＡＶＣ／Ｈ．２６４  スケーラブル映像符号化の拡張階層を含むシステム多重化ストリームをＩＰパケット化して送信する第二ＩＰ送信ステップと、
集約多重化手段が、少なくとも、前記第一の編成チャンネルの映像に対するＭＰＥＧ−４  ＡＶＣ／Ｈ．２６４／ＡＶＣ  スケーラブル映像符号化の基本階層のストリームと、前記第二の編成チャンネルの映像に対するＭＰＥＧ−４／ＡＶＣ  スケーラブル映像符号化の基本階層のストリームとを集約して多重化する集約多重化ステップと、
集約チャンネル送信手段が、前記集約多重化手段によって多重化されたシステム多重化ストリームをＩＰパケット化して送信する集約チャンネル送信ステップと、
番組情報対応付け手段が、前記各編成チャンネルと、前記集約多重化手段により多重化された各基本階層のストリームとを対応付けるステップと、を備えることを特徴とするデジタル番組送信方法。
【請求項１４】
ＩＰパケット化された、複数のデジタル番組を含むシステム多重化ストリームを送信するデジタル番組送信方法であって、
第一ＩＰ送信手段が、第一の編成チャンネルを含むシステム多重化ストリームをＩＰパケット化して送信する第一ＩＰ送信ステップと、
第二ＩＰ送信手段が、第二の編成チャンネルを含むシステム多重化ストリームをＩＰパケット化して送信する第二ＩＰ送信ステップと、
集約多重化手段が、少なくとも、前記第一の編成チャンネルの映像を低帯域化したＭＰＥＧ−４  ＡＶＣ／Ｈ．２６４の矩形形状のスライスグループと前記第二の編成チャンネルの映像を低帯域化したＭＰＥＧ−４  ＡＶＣ／Ｈ．２６４の矩形形状のスライスグループを同一ピクチャ内で含む映像ストリームを多重化する集約多重化ステップと、
集約チャンネル送信手段が、前記集約多重化手段により多重化されたシステム多重化ストリームをＩＰパケット化して送信する集約チャンネル送信ステップと、
番組情報対応付け手段が、前記各編成チャンネルと、前記集約多重化手段により低帯域化された矩形形状の各スライスグループとを対応付けるステップと、を備えることを特徴とするデジタル番組送信方法。
【請求項１５】
ＩＰパケット化された、複数のデジタル番組を含むシステム多重化ストリームを受信するデジタル番組受信方法であって、
ＩＰ受信手段が、ＩＰパケット化された、第一の編成チャンネルを含むシステム多重化ストリーム、又はＩＰパケット化された、第二の編成チャンネルを含むシステム多重化ストリームのうち、少なくとも一つ以上を受信するＩＰ受信ステップと、
集約チャンネル受信手段が、ＩＰパケット化された、少なくとも前記第一の編成チャンネルを低帯域化したストリームと前記第二の編成チャンネルを低帯域化したストリームが多重化されているシステム多重化ストリームを受信する集約チャンネル受信ステップと、
対応情報取得手段が、前記各編成チャンネルと前記多重化され低帯域化された各ストリームとの対応情報を取得するステップと、
映像切替手段が、前記ＩＰ受信手段により受信された編成チャンネルのうち単一のチャンネルの映像と、前記集約チャンネル受信手段により受信されたシステム多重化ストリームのうち、前記ＩＰ受信手段により受信された編成チャンネルに対応する編成チャンネルを低帯域化した映像とを切り替える映像切替ステップと、を備えることを特徴とするデジタル番組受信方法。
【請求項１６】
ＩＰパケット化された、複数のデジタル番組を含むシステム多重化ストリームを受信するデジタル番組受信方法であって、
ＩＰ受信手段が、ＩＰパケット化された、第一の編成チャンネルの映像としてＭＰＥＧ−４  ＡＶＣ／Ｈ．２６４スケーラブル映像符号化の拡張階層を含むシステム多重化ストリーム、又はＩＰパケット化された、第二の編成チャンネルの映像としてＭＰＥＧ−４  ＡＶＣ／Ｈ．２６４スケーラブル映像符号化の拡張階層を含むシステム多重化ストリームのうち、少なくとも一つ以上を受信するＩＰ受信ステップと、
集約チャンネル受信手段が、ＩＰパケット化された、少なくとも前記第一の編成チャンネルの映像に対するＭＰＥＧ−４  ＡＶＣ／Ｈ．２６４  スケーラブル映像符号化の基本階層のストリームと、前記第二の編成チャンネルの映像に対するＭＰＥＧ−４  ＡＶＣ／Ｈ．２６４  スケーラブル映像符号化の基本階層のストリームが多重化されたシステム多重化ストリームを受信する集約チャンネル受信ステップと、
対応情報取得手段が、前記各編成チャンネルと前記多重化され低帯域化された各ストリームとの対応情報を取得するステップと、
映像切替手段が、前記集約チャンネル受信手段により受信されたシステム多重化ストリームのうち、前記第一の編成チャンネルの基本階層のみを復号した映像と、前記ＩＰ受信手段により受信された第一の編成チャンネルの拡張階層と、前記集約チャンネル受信手段により受信されたシステム多重化ストリームのうち、前記第一の編成チャンネルの基本階層を合わせて復号した映像とを切り替える映像切替ステップと、を備えることを特徴とするデジタル番組受信方法。
【請求項１７】
ＩＰパケット化された、複数のデジタル番組を含むシステム多重化ストリームを受信するデジタル番組受信方法であって、
ＩＰ受信手段が、ＩＰパケット化された、第一の編成チャンネルを含むシステム多重化ストリーム、又はＩＰパケット化された、第二の編成チャンネルを含むシステム多重化ストリームのうち、少なくとも一つ以上を受信するＩＰ受信ステップと、
集約チャンネル受信手段が、ＩＰパケット化された、少なくとも前記第一の編成チャンネルの映像を低帯域化したＭＰＥＧ−４  ＡＶＣ／Ｈ．２６４の矩形形状のスライスグループと、前記第二の編成チャンネルの映像を低帯域化したＭＰＥＧ−４  ＡＶＣ／Ｈ．２６４の矩形形状のスライスグループを同一ピクチャ内で含む映像ストリームが多重化されているシステム多重化ストリームを受信する集約チャンネル受信ステップと、
対応情報取得手段が、前記各編成チャンネルと前記多重化され低帯域化された矩形形状の各スライスグループとの対応情報を取得するステップと、
映像切替手段が、前記ＩＰ受信手段により受信された編成チャンネルのうち単一のチャンネルの映像と、前記集約チャンネル受信手段により受信されたシステム多重化ストリームのうち、前記ＩＰ受信手段により受信された編成チャンネルに対応する矩形形状のスライスグループの映像とを切り替える映像切替ステップと、を備えることを特徴とするデジタル番組受信方法。
【請求項１８】
コンピュータを請求項１ないし４のいずれか１項に記載の各手段として機能させるデジタル番組送信プログラム。
【請求項１９】
コンピュータを請求項５ないし８のいずれか１項に記載の各手段として機能させるデジタル番組受信プログラム。
【発明の詳細な説明】
【技術分野】
【０００１】
本発明は、デジタル放送におけるＩＰパケットを用いた番組送信装置及び受信装置に関するものである。
【背景技術】
【０００２】
従来のＩＰ放送における番組配信システムを図１に基づいて以下に説明する。図１のシステムは、複数のデジタル番組をＭＰＥＧ−２  ＴＳにおいて送信する放送番組送信部１０２及び１０３とＩＰパケット化して送出するＩＰ送信部１０４及び１０５からなる送信機１０１と、ルータ１０６とエッジルータ１０７から構成されるＩＰネットワークと、受信機１０８とから構成されている。
【０００３】
まず、ＩＰ送信部１０４及び１０５では、ＭＰＥＧ−２  ＴＳをＩＰパケット化するとともに、通信路を特定するマルチキャストアドレスの付与を行うことで、ＭＰＥＧ−２  ＴＳパケットをＩＰパケットに格納してネットワークのルータ１０６へマルチキャストで送出する。
【０００４】
ルータ１０６はエッジルータ１０７までＩＰパケットを送信する。エッジルータ１０７は受信機１０８からの要求に応じてＩＰパケットを配信するため、受信要求があるまで受信機１０８へはＩＰパケットを送信しない。
【０００５】
次に、受信機１０８は、表示した番組のＩＰマルチキャストＪＯＩＮ要求（ＩＰマルチキャストによるＩＰパケット受信のための特定のＩＰマルチキャストグループへの参加要求）を行い、ネットワーク内のエッジルータ１０７を経由してＩＰパケットを受信する。そして、受信機１０８では受信したＩＰパケットからＭＰＥＧ−２  ＴＳパケットを抽出し、画面表示可能な映像内容分のパケットが蓄積されるまでメモリ領域に格納する。そしてＭＰＥＧ−２  ＴＳの映像信号を復号することにより受信機１０８の受像部において映像表示を行う。
【０００６】
また、他の番組への切り替えを行う場合には、現在受信しているＩＰマルチキャストグループへのＩＰマルチキャストＬＥＡＶＥ要求（受信中のＩＰマルチキャストによるＩＰパケットの停止のための特定のＩＰマルチキャストグループからの離脱要求）を行い、停止したことを確認した後に受信部から再度別の番組へのＩＰマルチキャストＪＯＩＮ要求を行う（非特許文献１参照）。
【０００７】
また、ＩＰ放送サービスに関する従来技術が非特許文献２に記載されている。
【０００８】
尚、本発明で利用する技術は、非特許文献３〜５に記載されている。
【先行技術文献】
【非特許文献】
【０００９】
【非特許文献１】「ＩＰＴＶ規定  地上デジタルテレビジョン放送  ＩＰ  再送信運用規定」、ＩＰＴＶＦＪ  ＳＴＤ−０００５  １．１  版、２００８年１１月２８日、第零編  ９．１．２  選局シーケンス  ｐ．４０
【非特許文献２】「ＩＰＴＶ規定  ＩＰ  放送仕様」、  ＩＰＴＶＦＪ  ＳＴＤ−０００４  １．１版、２００８年１１月２８日、４．２  ＩＰ放送サービスにおける通信シーケンス〜４．２．２  マルチキャストアドレスの取得  ｐｐ．１１０−１１１
【非特許文献３】ＩＳＯ／ＩＥＣ  １３８１８−１  “ＩＮＴＥＲＮＡＴＩＯＮＡＬ  ＳＴＡＮＤＡＲＤ”  ＭＰＥＧ−２  ＳＹＳＴＥＭＳ  Ｓｅｃｏｎｄ  ｅｄｉｔｉｏｎ  ２０００−１２−０１
【非特許文献４】「デジタル放送に使用する番組配列情報」、標準規格  ＡＲＩＢ  ＳＴＤ−Ｂ１０  ４．６版  平成２０年６月６日、第２部  番組配列情報における基本情報のデータ構造と定義、第５章  番組配列情報テーブル、ｐｐ．６４−９３
【非特許文献５】Ｎｅｔｗｏｒｋ  Ｗｏｒｋｉｎｇ  Ｇｒｏｕｐ  “ＲＦＣ１１１２”  Ｓ．Ｄｅｅｒｉｎｇ，Ｓｔａｎｆｏｒｄ  Ｕｎｉｖｅｒｓｉｔｙ  Ａｕｇｕｓｔ  １９８９，ｐｐ．１０−１４、インターネット＜ＵＲＬ：ｈｔｔｐ：／／ｔｏｏｌｓ．ｉｅｔｆ．ｏｒｇ／ｈｔｍｌ／ｒｆｃ１１１２＞．［平成２１年７月７日検索］
【発明の概要】
【発明が解決しようとする課題】
【００１０】
上述のような従来技術には次のような課題があった。  
【００１１】
まず、第一の課題は、上述の非特許文献１に記載の技術では、切り替えの都度、現在受信しているＭＰＥＧ−２  ＴＳパケットの停止要求を行いその処理を待つ、抽出したＭＰＥＧ−２  ＴＳパケットを画面表示可能な映像内容分のパケットが蓄積されるまでメモリ領域に格納する、という処理を行う必要があるため、チャネル切替先が広帯域の映像の場合、チャンネル切り替えに時間がかかることである。
【００１２】
第二の課題は、非特許文献２に記載されている様にＩＰ放送サービスサーバがマルチキャストによるコンテンツ提供を行なう場合、番組提供元からの符号化・多重化されたＴＳに対してフォーマット変換やＥＣＭ生成等の処理を実施した結果がネットワークに送出されるため、全チャンネル分の映像を取得するには受信機がすべてのマルチキャストグループに参加する必要があり、ネットワーク帯域を大量に消費してしまうことである。
【００１３】
以上のように従来の技術では、番組受信に時間がかかり、全チャンネル分の映像を取得することが困難であるため利用者利便性を損なうといった課題が発生する。
【００１４】
本発明は上記課題を解決するものであり、その目的は、迅速にチャンネル切り替えを行なうことができ、ネットワーク帯域を有効に活用することができるデジタル番組送信装置、デジタル番組受信装置を提供することにある。
【課題を解決するための手段】
【００１５】
本発明では、前記課題を解決するために、デジタル番組のＭＰＥＧ−２  ＴＳ（ＭＰＥＧ−２は非特許文献３にて規定）と連携した低帯域のＭＰＥＧ−２  ＴＳを複数まとめてＩＰパケット化してマルチキャストで配信し受信機側で表示するように構成した。これにより、ネットワーク帯域を有効活用しつつ一度に多くの番組を配信し受信機において番組を選択することが可能となる。低帯域化されているため迅速なチャンネル切り替えが可能である。
【００１６】
ＩＰ放送においては、受信機において、放送受信の前にあらかじめ初期設定を行い各放送がどのマルチキャストグループに対応しているかの情報などの番組構成情報を事前に設定する仕組みを有する。このため、この番組構成情報に低帯域のＭＰＥＧ−２  ＴＳを複数まとめてＩＰパケット化したもののマルチキャストアドレスを追加しておくことで受信機に当該マルチキャストグループを認識させることが可能となる。
【００１７】
また、送信時点であらかじめ番組情報の対応情報を取得して送信し、受信機において番組情報の対応付けを行うことにより、低帯域化した単一の映像、低帯域化した複数の映像を同時に分割表示した映像、低帯域化していない映像を相互に切り替えることにより円滑な視聴切り替えが可能となる。
【００１８】
また、本デジタル番組送信装置及びデジタル番組受信装置のＭＰＥＧ−２  ＴＳで利用する映像符号化方式として、１つの圧縮データから異なる複数の解像度やビットレートの圧縮データを取り出すことができるＭＰＥＧ−４  ＡＶＣ／Ｈ．２６４スケーラブル映像符号化を用いたものを利用することもできる。スケーラブル映像圧縮では、基本階層と拡張階層からなり、基本階層のみでも復号化が可能であり、さらに基本階層に加えて拡張階層を合わせて復号化することで高解像度の映像を表示することが可能となる。
【００１９】
また、本デジタル番組送信装置及びデジタル番組受信装置のＭＰＥＧ−２  ＴＳで利用する映像符号化方式として、映像を複数の矩形領域に分割するＭＰＥＧ−４  ＡＶＣ／Ｈ．２６４  のスライスグループを利用することもできる。スライスグループでは、画面内の各マクロブロックがどのスライスグループに属するかを指定することができるため、複数の映像のそれぞれを別のスライスグループで映像符号化することにより、複数の映像を単一のエレメンタリストリームで符号化することができる。このうち単数または複数のスライスグループを選択して復号することにより単一または複数の映像を切り替えて表示することができる。
【発明の効果】
【００２０】
（１）請求項１〜１９に記載の発明によれば、ネットワーク帯域を有効活用しつつ、一度に多くの番組を配信し受信装置側で番組を選択することができる。
【００２１】
また、低帯域化されているため迅速なチャンネル切り替えが可能となる。  
【００２２】
また、各編成チャンネルと、集約多重化手段により低帯域化された各ストリームとを対応付けているため、円滑な視聴切り替えが実現できる。
（２）請求項２、６、１０、１３、１６に記載の発明によれば、高解像度の映像を表示させる、又は表示することができる。
（３）請求項３、７、１１、１４、１７に記載の発明によれば、単一又は複数の映像を切り替えて表示させる、又は表示することができる。
【図面の簡単な説明】
【００２３】
【図１】従来のＩＰ放送における番組配信システムの構成を示すブロック図。
【図２】本発明の実施の形態１におけるデジタル番組送信装置の構成を示すブロック図。
【図３】本発明の実施の形態２におけるデジタル番組送信装置の構成を示すブロック図。
【図４】本発明の実施の形態３におけるデジタル番組送信装置の構成を示すブロック図。
【図５】本発明の実施の形態４におけるデジタル番組受信装置の構成を示すブロック図。
【図６】本発明の実施の形態５におけるデジタル番組受信装置の構成を示すブロック図。
【図７】本発明の実施の形態６におけるデジタル番組受信装置の構成を示すブロック図。
【図８】本発明の実施の形態７におけるデジタル番組受信装置の構成を示すブロック図。
【図９】本発明の実施の形態８におけるデジタル番組受信装置の構成を示すブロック図。
【図１０】本発明の実施の形態９におけるデジタル番組受信装置の構成を示すブロック図。
【発明を実施するための形態】
【００２４】
以下、図面を参照しながら本発明の実施の形態を説明するが、本発明は下記の実施形態例に限定されるものではない。まず、実施形態で扱う番組に関する情報を説明する。本実施形態における番組は、映像、音声、字幕、データ放送、番組情報である。
【００２５】
番組情報は非特許文献４に規定されているように、ＰＡＴ（Ｐｒｏｇｒａｍ  Ａｓｓｏｃｉａｔｉｏｎ  Ｔａｂｌｅ）、ＰＭＴ（Ｐｒｏｇｒａｍ  Ｍａｐ  Ｔａｂｌｅ）、ＮＩＴ（Ｎｅｔｗｏｒｋ  Ｉｎｆｏｒｍａｔｉｏｎ  Ｔａｂｌｅ）、ＳＤＴ（Ｓｅｒｖｉｃｅ  Ｄｅｓｃｒｉｐｔｉｏｎ  Ｔａｂｌｅ）、ＢＩＴ（Ｂｒｏａｄｃａｓｔｅｒ  Ｉｎｆｏｒｍａｔｉｏｎ  Ｔａｂｌｅ）、ＥＩＴ（Ｅｖｅｎｔ  Ｉｎｆｏｒｍａｔｉｏｎ  Ｔａｂｌｅ）などを含む情報である。
【００２６】
本発明の実施の形態１として請求項１に対応した実施例を説明する。図２は本発明の実施の形態１におけるデジタル番組送信装置の構成を示すブロック図である。実施の形態１は、ＭＰＥＧ−２  ＴＳ化された番組をＩＰマルチキャストで送信すると同時に、番組の映像を低帯域の映像へトランスコードし、トランスコードしたストリームを多重化、ＩＰパケット化し、ＩＰマルチキャストで送出するデジタル番組送信装置である。
【００２７】
図２において、２０１は第一放送番組送出部、２０２は第二放送番組送出部、２０３は第一ＩＰ送信手段としての第一ＩＰ送信部、２０４は第二ＩＰ送信手段としての第二ＩＰ送信部、２０５は集約多重化手段としての集約多重化部、２０９は集約チャンネル送信手段としての集約チャンネル送信部である。
【００２８】
まず、第一ＩＰ送信部２０３は第一放送番組送出部２０１から入力したＭＰＥＧ−２  ＴＳについてＩＰヘッダを付与しＩＰパケット化し、ＩＰマルチキャストで送出する。同様に第二ＩＰ送信部２０４は第二放送番組送出部２０２から入力したＭＰＥＧ−２  ＴＳについてＩＰヘッダを付与しＩＰパケット化し、ＩＰマルチキャストで送出する。
【００２９】
同時に、集約多重化部２０５内のトランスコード部２０６及び２０７は第一放送番組送出部２０１及び第二放送番組送出部２０２から入力したＭＰＥＧ−２  ＴＳ内の映像を低帯域の映像へ変換する。ストリーム多重化部２０８は変換された複数の映像、音声について多重化処理を行い集約チャンネル送信部２０９へ送信する。
【００３０】
集約多重化部２０５において多重化される映像、音声と第一ＩＰ送信部２０３及び第二ＩＰ送信部２０４から送信されるＭＰＥＧ−２  ＴＳに含まれる映像、音声との対応付けを行うために、集約チャンネル送信部２０９から送信するＰＭＴ内のＳｅｒｖｉｃｅ＿ｉｄと第一ＩＰ送信部２０３及び第二ＩＰ送信部２０４から送信されるＭＰＥＧ−２  ＴＳのＰＭＴ内のＳｅｒｖｉｃｅ＿ｉｄとは同一のものを利用する（本発明の番組情報対応付け手段）。
【００３１】
集約チャンネル送信部２０９は集約多重化部２０５より入力したＭＰＥＧ−２  ＴＳにＩＰヘッダを付与しＩＰパケット化し、ＩＰマルチキャストで送出する。
なお、集約多重化部２０５においては音声の多重化を行わないこととしてもよい。
【００３２】
また、ＩＰ送信部の数（編成チャンネルの数）または集約多重化部２０５で多重化される編成チャンネルの数は２つ以上であってもよいことは言うまでもない。
【００３３】
なお、上記ではシステム多重化ストリームとしてＭＰＥＧ−２  ＴＳを用いる例を述べたが、他のシステム多重化方法を用いてもよい。
【００３４】
次に、本発明の実施の形態２として請求項２に対応した実施例を説明する。図３は本発明の実施の形態２におけるデジタル番組送信装置の構成を示すブロック図である。
【００３５】
実施の形態２は、映像にＭＰＥＧ−４  ＡＶＣ／Ｈ．２６４  スケーラブル映像符号化の拡張階層を含むＭＰＥＧ−２  ＴＳをＩＰマルチキャストで送出すると同時に、複数の編成チャンネルの映像に対するＭＰＥＧ−４  ＡＶＣ／Ｈ．２６４  スケーラブル映像符号化の基本階層を含むストリームを多重化したものをＩＰマルチキャストで送信するデジタル番組送信装置である。
【００３６】
図３において、３０１は第一放送番組送出部、３０２は第二放送番組送出部、３０３は第一ＩＰ送信手段としての第一ＩＰ送信部、３０４は第二ＩＰ送信手段としての第二ＩＰ送信部、３０５は集約多重化手段としての集約多重化部、３０９は集約チャンネル送信手段としての集約チャンネル送信部である。
【００３７】
第一放送番組送出部３０１は第一の編成チャンネルの映像としてＭＰＥＧ−４  ＡＶＣ／Ｈ．２６４  スケーラブル映像符号化の拡張階層を含むＭＰＥＧ−２  ＴＳを第一ＩＰ送信部３０３へ送出する。また、第一の編成チャンネルの映像に対するＭＰＥＧ−４  ＡＶＣ／Ｈ．２６４  スケーラブル映像符号化の基本階層のストリームを集約多重化部３０５へ送信する。
【００３８】
第二放送番組送出部３０２は第二の編成チャンネルの映像としてＭＰＥＧ−４  ＡＶＣ／Ｈ．２６４  スケーラブル映像符号化の拡張階層を含むＭＰＥＧ−２  ＴＳを第二ＩＰ送信部３０４へ送出する。また、第二の編成チャンネルの映像に対するＭＰＥＧ−４  ＡＶＣ／Ｈ．２６４  スケーラブル映像符号化の基本階層のストリームを集約多重化部３０５へ送信する。
【００３９】
第一ＩＰ送信部３０３及び第二ＩＰ送信部３０４は入力したＭＰＥＧ−２  ＴＳにＩＰヘッダを付与しＩＰパケット化し、ＩＰマルチキャストで送信する。
【００４０】
集約多重化部３０５は受信したＭＰＥＧ−２  ＴＳについて映像、音声のストリーム多重化処理を行い集約チャンネル送信部３０６へ送信する。
【００４１】
多重化処理の際に映像、音声は第一ＩＰ送信部３０３及び第二ＩＰ送信部３０４から送信されるＭＰＥＧ−２  ＴＳと対応付けを行うために集約チャンネル送信部３０６から送信するＰＭＴ内のＳｅｒｖｉｃｅ＿ｉｄは第一ＩＰ送信部３０３及び第二ＩＰ送信部３０４から送信されるＭＰＥＧ−２  ＴＳのＰＭＴ内のＳｅｒｖｉｃｅ＿ｉｄと同一のものを利用する（本発明の番組情報対応付け手段）。
【００４２】
集約チャンネル送信部３０６は、集約多重化部３０５より入力したＭＰＥＧ−２  ＴＳにＩＰヘッダを付与しＩＰパケット化し、ＩＰマルチキャストで送出する。
【００４３】
なお、集約多重化部３０５においては音声の多重化を行わないこととしてもよい。また、ＩＰ送信部の数（編成チャンネルの数）または集約多重化部３０５で多重化される編成チャンネルの数は２つ以上であってもよいことは言うまでもない。
【００４４】
なお、上記ではシステム多重化ストリームとしてＭＰＥＧ−２  ＴＳを用いる例を述べたが、他のシステム多重化方法を用いてもよい。
【００４５】
次に、本発明の実施の形態３として請求項３に対応した実施例を説明する。図４は本発明の実施の形態３におけるデジタル番組送信装置の構成を示すブロック図である。
【００４６】
実施の形態３は、ＭＰＥＧ−２  ＴＳ化された番組をＩＰマルチキャストで送信すると同時に、複数の番組の映像をデコードし各映像に対してＭＰＥＧ−４  ＡＶＣ／Ｈ．２６４の矩形形状のスライスグループで符号化して一つの映像ＥＳの映像へ合成し、合成した映像のストリームを多重化、ＩＰパケット化し、ＩＰマルチキャストで送出するデジタル番組送信装置である。
【００４７】
図４において、４０１は第一放送番組送出部、４０２は第二放送番組送出部、４０３は第一ＩＰ送信手段としての第一ＩＰ送信部、４０４は第二ＩＰ送信手段としての第二ＩＰ送信部、４０５は集約多重化手段としての集約多重化部、４１０は集約チャンネル送信手段としての集約チャンネル送信部である。
【００４８】
まず、第一ＩＰ送信部４０３は第一放送番組送出部４０１から入力したＭＰＥＧ−２  ＴＳについてＩＰヘッダを付与しＩＰパケット化し、ＩＰマルチキャストで送出する。同様に第二ＩＰ送信部４０４は第二放送番組送出部４０２から入力したＭＰＥＧ−２  ＴＳについてＩＰヘッダを付与しＩＰパケット化し、ＩＰマルチキャストで送出する。
【００４９】
また、集約多重化部４０５内の第一デコード部４０６及び第二デコード部４０７は第一放送番組送出部４０１及び第二放送番組送出部４０２から入力したＭＰＥＧ−２  ＴＳ内の映像を復号し映像信号としてエンコード部４０８へ送出する。  エンコード部４０８は、第一の編成チャンネルの映像のサイズを縮小して低帯域化したＭＰＥＧ−４  ＡＶＣ／Ｈ．２６４の矩形形状のスライスグループと第二の編成チャンネルの映像のサイズを縮小して低帯域化したＭＰＥＧ−４  ＡＶＣ／Ｈ．２６４の矩形形状のスライスグループを同一ピクチャ内で含む映像符号化を行う。
【００５０】
ストリーム多重化部４０９は合成された映像、音声や番組情報についてＭＰＥＧ−２  ＴＳ多重化処理を行い集約チャンネル送信部４１０へ送信する。
【００５１】
多重化処理の際に映像、音声は第一ＩＰ送信部４０３及び第二ＩＰ送信部４０４から送信されるＭＰＥＧ−２  ＴＳと対応付けを行うためにエンコード部４０８において利用するＭＰＥＧ−４  ＡＶＣ／Ｈ．２６４の矩形形状のスライスグループ番号と第一ＩＰ送信部４０３及び第二ＩＰ送信部４０４から送信されるＭＰＥＧ−２  ＴＳに記載されるＰＭＴ内のＳｅｒｖｉｃｅ＿ｉｄと対応付けを行い（本発明の番組情報対応付け手段）、番組情報内に格納して送信する。
【００５２】
集約チャンネル送信部４１０は集約多重化部４０５より入力したＭＰＥＧ−２  ＴＳにＩＰヘッダを付与しＩＰパケット化し、ＩＰマルチキャストで送出する。
【００５３】
なお、集約多重化部４０５においては音声の多重化を行わないこととしてもよい。また、ＩＰ送信部の数（編成チャンネルの数）または集約多重化部４０５で多重化される編成チャンネルの数は２つ以上であってもよいことは言うまでもない。
【００５４】
なお、上記ではシステム多重化ストリームとしてＭＰＥＧ−２  ＴＳを用いる例を述べたが、他のシステム多重化方法を用いてもよい。
【００５５】
次に、本発明の実施の形態４として請求項５に対応した実施例を説明する。図５は本発明の実施の形態４におけるデジタル番組受信装置の構成を示すブロック図である。実施の形態４は、複数の低帯域の映像が多重化されたＭＰＥＧ−２  ＴＳをＩＰマルチキャストで受信し、受信した内の一つの番組を画面表示し、受信した低帯域の番組視聴時に他のＩＰマルチキャストを受信することにより視聴中の番組と同じ放送内容でありかつ高帯域の番組へ切替視聴をするデジタル番組受信装置である（なお、ＩＰマルチキャストのＩＧＭＰ（Ｉｎｔｅｒｎｅｔ  Ｇｙｏｕｐ  Ｍａｎａｇｅｍｅｎｔ  Ｐｒｏｔｏｃｏｌ）については、非特許文献５で規定されている。）。
【００５６】
図５において、５０１はＩＰ受信手段としてのＩＰ受信部、５０２は集約チャンネル受信手段としての集約チャンネル受信部、５０３、５０５は番組選択部、５０４は編成チャンネル取得指示部、５０６，５０７は映像復号化部、５０８は映像切替手段としての映像切替部、５０９は表示部である。
【００５７】
実施の形態４の動作について状態遷移を用いて説明する。ＩＰ受信部５０１において受信した第一編成チャンネルの映像を表示している状態（状態５１という。）から、集約チャンネル受信部５０２において受信した第二編成チャンネルの映像を表示している状態（状態５２という。）を介して、ＩＰ受信部５０１において受信した第二編成チャンネルの映像を表示している状態（状態５３という。）へ遷移する。
【００５８】
はじめに、ＩＰ受信部５０１ではラストチャンネルなどにより第一編成チャンネルの番組へのＩＰマルチキャストＪＯＩＮ要求５２１を行いＩＰマルチキャストを受信し、番組選択部５０３においてＳｅｒｖｉｃｅ＿ｉｄを指定し、映像復号化部５０６において映像復号化を行い、映像切替部５０８において映像を選択し表示部５０９において映像を表示する（状態５１）。
【００５９】
受信機のリモコンによるボタン操作等により第二編成チャンネルの番組受信を行う際に、第一編成チャンネルの番組のＩＰマルチキャストＬＥＡＶＥ要求５２２を行い受信要求をキャンセルした後に集約チャンネルのＩＰマルチキャストＪＯＩＮ要求５２４を行い、集約チャンネル受信部５０２において番組を受信する。番組選択部５０５はリモコンボタンにおいて指定した第二編成チャンネルの番組に対応するｓｅｒｖｉｃｅ＿ｉｄを指定し、映像復号化部５０７において映像を復号して映像切替部５０８において映像復号化部５０７の映像を選択し切り替えて表示部５０９において表示する（状態５２）。
【００６０】
第二編成チャンネルのｓｅｒｖｉｃｅ＿ｉｄ指定と同時に編成チャンネル取得指示部５０４の指示によりＩＰ受信部５０１において第二編成チャンネルの番組へのＩＰマルチキャストＪＯＩＮ要求５２３を行いＩＰマルチキャスト受信し、番組選択部５０３においてＳｅｒｖｉｃｅ＿ｉｄを指定し、映像復号化部５０６において映像復号化を行い、映像切替部５０８において映像復号化部５０６からの映像を選択して切り替えて表示部５０９において表示する（状態５３）。
【００６１】
なお、状態５１から状態５２への遷移については、低帯域の映像の復号化のため、素早く遷移することが可能であり、状態５２から状態５３への遷移については映像切替部５０８において表示できる状態になった時点で自動的に切り替えることにより低帯域化されてない番組への円滑な切り替えが可能となる。
【００６２】
なお、上記ではシステム多重化ストリームとしてＭＰＥＧ−２  ＴＳを用いる例を述べたが、他のシステム多重化方法を用いてもよい。
【００６３】
次に、本発明の実施の形態５として請求項５に対応した実施例を説明する。図６は本発明の実施の形態５におけるデジタル番組受信装置の構成を示すブロック図である。実施の形態５は、複数の低帯域の映像が多重化されたＭＰＥＧ−２  ＴＳをＩＰマルチキャストで受信し、複数の低帯域の映像を同時に画面表示するものである。また、複数の低帯域の映像を同時に画面に表示している時に画面上の番組を選択し他のＩＰマルチキャストを受信することにより視聴中の番組と同じ放送内容でありかつ高帯域の番組へ切替視聴をするデジタル番組受信装置である。
【００６４】
図６において、６０１はＩＰ受信手段としてのＩＰ受信部、６０２は集約チャンネル受信手段としての集約チャンネル受信部、６０３、６０５は番組選択部、６０４は編成チャンネル取得指示部、６０６〜６０８は映像復号化部、６０９は映像合成部、６１０は映像切替手段としての映像切替部、６１１は表示部である。
【００６５】
実施の形態５の動作について状態遷移を用いて説明する。ＩＰ受信部６０１において受信した第一編成チャンネルの映像を表示している状態（状態６１という。）から、集約チャンネル受信部６０２において受信した編成チャンネルの映像を複数同時に表示している状態（状態６２という。）を介して、ＩＰ受信部６０１において受信した第二編成チャンネルの映像を表示している状態（状態６３という。）へ遷移する内容について説明する。
【００６６】
また、状態６２から集約チャンネル受信部６０２において受信した第一編成チャンネルの映像を表示している状態（状態６４という。）へ遷移する動作、状態６４から集約チャンネル受信部６０２において受信した第二編成チャンネルの映像を表示している状態（状態６５という。）へ遷移する動作について説明する。
【００６７】
はじめに、ＩＰ受信部６０１ではラストチャンネルなどにより第一編成チャンネルの番組へのＩＰマルチキャストＪＯＩＮ要求６２１を行いＩＰマルチキャストを受信し、番組選択部６０３においてＳｅｒｖｉｃｅ＿ｉｄを指定し、映像復号化部６０６において映像復号化を行い、映像切替部６１０において映像復号化部６０６の映像を選択し表示部６１１において表示する（状態６１）。
【００６８】
複数番組分割表示のためのリモコン操作を行った際に、第一編成チャンネルの番組のＩＰマルチキャストＬＥＡＶＥ要求６２２を行い受信要求をキャンセルした後に集約チャンネルのＩＰマルチキャストＪＯＩＮ要求６２４を行い、集約チャンネル受信部６０２において番組を受信する。
【００６９】
集約チャンネル受信部６０２において受信した後は集約チャンネル中のすべての番組を受信しているため、それぞれの番組を同時に表示することが可能である。
【００７０】
番組選択部６０５において第一編成チャンネルの番組に対応するｓｅｒｖｉｃｅ＿ｉｄを指定し、映像復号化部６０７において映像を復号して映像合成部６０９に入力する。また、番組選択部６０５において第二編成チャンネルの番組に対応するｓｅｒｖｉｃｅ＿ｉｄを指定し、映像復号化部６０８において映像を復号して映像合成部６０９に入力する。
【００７１】
映像合成部６０９において、第一編成チャンネルの映像と第二編成チャンネルの映像を分割画面表示できるように映像信号を構成して映像切替部６１０において映像合成部６０９の映像を選択し切り替えて表示部６１１において表示する（状態６２）。
【００７２】
状態６２において、リモコンの画面操作により、第二編成チャンネルの番組を選択することで、編成チャンネル取得指示部６０４からの指示により、ＩＰ受信部６０１において、第二編成チャンネルの番組へのＩＰマルチキャストＪＯＩＮ要求６２３を行いＩＰマルチキャストを受信し、番組選択部６０３においてＳｅｒｖｉｃｅ＿ｉｄを指定し、映像復号化部６０６において映像復号化を行い、映像切替部６１０において映像復号化部６０６の映像を選択し切り替えて表示部６１１において表示する（状態６３）。
【００７３】
なお、状態６２において、映像復号化部６０７において映像を復号したものを直接映像切替部６１０へも入力し、リモコンの画面操作により、第一編成チャンネルの番組を選択することで、映像切替部６１０において映像復号化部６０７の映像を選択し切り替えて表示部６１１において表示する（状態６４）。
【００７４】
また、状態６４において映像復号化部６０８において映像を復号したものを直接映像切替部６１０へ入力し、リモコンの画面操作により、第二編成チャンネルの番組を選択することで、映像切替部６１０において映像復号化部６０８の映像を選択し切り替えて表示部６１１において表示する（状態６５）。
【００７５】
また、状態６２から状態６４または状態６５を介して状態６３へ遷移可能なことは言うまでもない。
【００７６】
これにより映像切替部６１０において、集約チャンネル内の映像を単独で表示することも複数の映像を合成した状態で表示することも可能となる。また、集約チャンネル内の映像を連続して切り替え表示するなどの利用が可能となる。
【００７７】
なお、上記ではシステム多重化ストリームとしてＭＰＥＧ−２  ＴＳを用いる例を述べたが、他のシステム多重化方法を用いてもよい。
【００７８】
次に、本発明の実施の形態６として請求項６に対応した実施例を説明する。図７は本発明の実施の形態６におけるデジタル番組受信装置の構成を示すブロック図である。
【００７９】
実施の形態６は映像としてＭＰＥＧ−４  ＡＶＣ／Ｈ．２６４  スケーラブル映像符号化の基本階層を含むＭＰＥＧ−２  ＴＳを複数多重化してＩＰパケット化したものを受信機において受信し映像表示するものである。また、基本階層からなるＭＰＥＧ−２  ＴＳ視聴時に視聴中番組の拡張階層を含むＭＰＥＧ−２  ＴＳを受信することで基本階層と拡張階層を合わせた映像信号を復号して視聴するデジタル番組受信装置である。
【００８０】
図７において、７０１はＩＰ受信手段としてのＩＰ受信部、７０２は集約チャンネル受信手段としての集約チャンネル受信部、７０３、７０５は番組選択部、７０４は編成チャンネル取得指示部、７０６，７０７は映像復号化部、７０８は映像切替手段としての映像切替部、７０９は表示部である。
【００８１】
実施の形態６の動作について状態遷移を用いて説明する。集約チャンネル受信部７０２において受信した第一編成チャンネルの基本階層の映像を復号して表示している状態（状態７１という。）から、ＩＰ受信部７０１において受信した第一編成チャンネルの拡張階層を含む映像を合わせて表示している状態（状態７２という。）へ遷移する。
【００８２】
まず、集約チャンネル受信部７０２において集約チャンネルのＩＰマルチキャストＪＯＩＮ要求７２２を行い、複数のＭＰＥＧ−４  ＡＶＣ／Ｈ．２６４  スケーラブル映像符号化の基本階層を含む映像が多重化されたＭＰＥＧ−２  ＴＳを受信する。
リモコンによるボタン操作等により第一編成チャンネルの番組を選択し、番組選択部７０５においてリモコンボタンにおいて指定した第一編成チャンネルの番組に対応するｓｅｒｖｉｃｅ＿ｉｄを指定し、映像復号化部７０７において基本階層の映像を復号して映像切替部７０８において映像を選択し表示部７０９において表示する（状態７１）。
【００８３】
第一編成チャンネルの番組に対応するｓｅｒｖｉｃｅ＿ｉｄ指定と同時に編成チャンネル取得指示部７０４の指示によりＩＰ受信部７０１において第一編成チャンネルの番組へのＩＰマルチキャストＪＯＩＮ要求７２１を行いＭＰＥＧ−４  ＡＶＣ／Ｈ．２６４  スケーラブル映像符号化の拡張階層を含む映像が多重化されたＭＰＥＧ−２  ＴＳをＩＰマルチキャスト受信し、番組選択部７０３においてＳｅｒｖｉｃｅ＿ｉｄを指定し、映像復号化部７０６において拡張階層と番組選択部７０５から取得した基本階層とを合わせて映像復号化を行い、映像切替部７０８において映像復号化部７０６からの映像を選択し切り替えて表示部７０９において表示する（状態７２）。
【００８４】
なお、状態７１から状態７２への遷移については映像切替部７０８において表示できる状態になった時点で自動的に切り替えることにより円滑な切り替えが可能となる。
【００８５】
なお、上記ではシステム多重化ストリームとしてＭＰＥＧ−２  ＴＳを用いる例を述べたが、他のシステム多重化方法を用いてもよい。
【００８６】
次に、本発明の実施の形態７として請求項６に対応した実施例を説明する。図８は本発明の実施の形態７におけるデジタル番組受信装置の構成を示すブロック図である。
【００８７】
実施の形態７は、映像としてＭＰＥＧ−４  ＡＶＣ／Ｈ．２６４  スケーラブル映像符号化の基本階層を含むＭＰＥＧ−２  ＴＳを複数多重化してＩＰパケット化したものを受信機において受信し基本階層の映像を複数同時に画面表示するものである。また、基本階層の映像を複数同時に画面表示時に画面上の番組を選択し他のＩＰマルチキャストを受信することにより視聴中の番組と同じ放送内容でありかつ高解像度の番組へ切替視聴をするデジタル番組受信装置である。
【００８８】
図８において、８０１はＩＰ受信手段としてのＩＰ受信部、８０２は集約チャンネル受信手段としての集約チャンネル受信部、８０３、８０５は番組選択部、８０４は編成チャンネル取得指示部、８０６〜８０８は映像復号化部、８０９は映像合成部、８１０は映像切替手段としての映像切替部、８１１は表示部である。
【００８９】
実施の形態７の動作について状態遷移を用いて説明する。集約チャンネル受信部８０２において受信した編成チャンネルの基本階層の映像を複数同時に表示している状態（状態８１という。）から、ＩＰ受信部８０１において受信した第一編成チャンネルの拡張階層を含む映像を合わせて表示している状態（状態８２という。）へ遷移する内容について説明する。
【００９０】
また、状態８１から集約チャンネル受信部８０２において受信した第一編成チャンネルの基本階層の映像を表示している状態（状態８３という。）へ遷移する動作、状態８３から集約チャンネル受信部８０２において受信した第二編成チャンネルの基本階層の映像を表示している状態（状態８４という。）へ遷移する動作について説明する。
【００９１】
まず、複数番組分割表示のためのリモコン操作により、集約チャンネル受信部８０２において集約チャンネルのＩＰマルチキャストＪＯＩＮ要求８２２を行い、複数のＭＰＥＧ−４  ＡＶＣ／Ｈ．２６４  スケーラブル映像符号化の基本階層を含む映像が多重化されたＭＰＥＧ−２  ＴＳを受信する。
【００９２】
集約チャンネル受信部８０２において受信した後は集約チャンネル中のすべての番組を受信しているため、それぞれの番組を同時に表示することが可能である。
番組選択部８０５において第一編成チャンネルの番組に対応するｓｅｒｖｉｃｅ＿ｉｄを指定し、映像復号化部８０７において基本階層の映像を復号して映像合成部８０９に入力する。また、番組選択部８０５において第二編成チャンネルの番組に対応するｓｅｒｖｉｃｅ＿ｉｄを指定し、映像復号化部８０８において基本階層の映像を復号して映像合成部８０９に入力する。映像合成部８０９において、分割画面表示できるように映像信号を構成して映像切替部８１０において映像合成部８０９の映像を選択し表示部８１１において表示する（状態８１）。
【００９３】
状態８１において、リモコンの画面操作により、第一編成チャンネルの番組を選択することで、編成チャンネル取得指示部８０４からの指示により、ＩＰ受信部８０１において、第一編成チャンネルの番組へのＩＰマルチキャストＪＯＩＮ要求８２１を行いＩＰマルチキャストを受信し、番組選択部８０３においてＳｅｒｖｉｃｅ＿ｉｄを指定し、映像復号化部８０６において拡張階層と番組選択部８０５から取得した基本階層とを合わせて映像復号化を行い、映像切替部８１０において映像復号化部８０６からの映像を選択し切り替えて表示部８１１において表示する（状態８２）。
【００９４】
なお、前記状態８１において、映像復号化部８０７において映像を復号したものを直接映像切替部８１０へ入力し、リモコンの画面操作により、第一編成チャンネルの番組を選択することで、映像切替部８１０において映像復号化部８０７の映像を選択し切り替えて、第一編成チャンネルの基本階層の映像を表示部８１１において表示する（状態８３）。
【００９５】
また、状態８３において、映像復号化部８０８において映像を復号したものを直接映像切替部８１０へ入力し、リモコンの画面操作により、第二編成チャンネルの番組を選択することで、映像切替部８１０において映像復号化部８０８の映像を選択し切り替えて、第二編成チャンネルの基本階層の映像を表示部８１１において表示する（状態８４）。また、状態８１から状態８２へ遷移する際に状態８３または状態８４を経由して遷移可能なことは言うまでもない。
【００９６】
これにより映像切替部８１０において、集約チャンネル内の映像を単独で表示することも複数の映像を分割して表示することも可能となる。また、集約チャンネル内の映像を連続して切り替え表示するなどの利用が可能となる。
【００９７】
なお、上記ではシステム多重化ストリームとしてＭＰＥＧ−２  ＴＳを用いる例を述べたが、他のシステム多重化方法を用いてもよい。
【００９８】
次に、本発明の実施の形態８として請求項７に対応した実施例を説明する。図９は本発明の実施の形態８におけるデジタル番組受信装置の構成を示すブロック図である。
【００９９】
実施の形態８は、複数のＭＰＥＧ−４  ＡＶＣ／Ｈ．２６４の矩形形状のスライスグループを含む映像ＥＳが多重化されたＭＰＥＧ−２  ＴＳをＩＰマルチキャストで受信し、受信した内の一つのスライスグループに対応した番組を画面表示し、スライスグループに対応した番組視聴時に他のＩＰマルチキャストを受信することにより視聴中の番組と同じ放送内容でありかつ高帯域の番組へ切替視聴をするデジタル番組受信装置である。
【０１００】
図９において、９０１はＩＰ受信手段としてのＩＰ受信部、９０２は集約チャンネル受信手段としての集約チャンネル受信部、９０３、９０５は番組選択部、９０４は編成チャンネル取得指示部、９０６，９０７は映像復号化部、９０８は映像切替手段としての映像切替部、９０９は表示部である。
【０１０１】
実施の形態８の動作について状態遷移を用いて説明する。ＩＰ受信部９０１において受信した第一編成チャンネルの映像を表示している状態（状態９１という。）から、集約チャンネル受信部９０２において受信した第二編成チャンネルの番組に対応したスライスグループの映像を表示している状態（状態９２という。）を介して、ＩＰ受信部９０１において受信した第二編成チャンネルの映像を表示している状態（状態９３という。）へ遷移する。
【０１０２】
はじめに、ＩＰ受信部９０１ではラストチャンネルなどにより第一編成チャンネルの番組へのＩＰマルチキャストＪＯＩＮ要求９２１を行いＩＰマルチキャストを受信し、番組選択部９０３においてＳｅｒｖｉｃｅ＿ｉｄを指定し、映像復号化部９０６において映像復号化を行い、映像切替部９０８において映像を選択し表示部９０９において映像を表示する（状態９１）。
【０１０３】
受信機のリモコンによるボタン操作等により第二編成チャンネルの番組受信を行う際に、第一編成チャンネルの番組のＩＰマルチキャストＬＥＡＶＥ要求９２２を行い受信要求をキャンセルした後に集約チャンネルのＩＰマルチキャストＪＯＩＮ要求９２４を行い、集約チャンネル受信部９０２において番組を受信する。番組選択部９０５においてリモコンボタンにおいて指定した第二編成チャンネルの番組に対応するスライスグループ番号を指定し、映像復号化部９０７において対応するスライスグループの映像を復号して映像切替部９０８において映像復号化部９０７の映像を選択し切り替えて表示部９０９において拡大して表示する（状態９２）。
【０１０４】
第二編成チャンネルの番組に対応するスライスグループ番号の指定と同時に編成チャンネル取得指示部９０４の指示によりＩＰ受信部９０１において第二編成チャンネルの番組へのＩＰマルチキャストＪＯＩＮ要求９２３を行いＩＰマルチキャスト受信し、番組選択部９０３においてＳｅｒｖｉｃｅ＿ｉｄを指定し、映像復号化部９０６において映像復号化を行い、映像切替部９０８において映像復号化部９０６からの映像を選択して切り替えて表示部９０９において表示する（状態９３）。
【０１０５】
なお、状態９１から状態９２への遷移については、すでに受信してある映像ＥＳのうちのスライスグループ番号を指定した映像の復号化であるため、素早く遷移することが可能であり、状態９２から状態９３への遷移については切替部９０８において表示できる状態になった時点で自動的に切り替えることにより低帯域化されてない番組への円滑な切り替えが可能となる。
【０１０６】
なお、上記ではシステム多重化ストリームとしてＭＰＥＧ−２  ＴＳを用いる例を述べたが、他のシステム多重化方法を用いてもよい。
【０１０７】
次に、本発明の実施の形態９として請求項７に対応した実施例を説明する。図１０は本発明の実施の形態９におけるデジタル番組受信装置の構成を示すブロック図である。実施の形態９は、複数のＭＰＥＧ−４  ＡＶＣ／Ｈ．２６４の矩形形状のスライスグループを含む映像ＥＳが多重化されたＭＰＥＧ−２  ＴＳをＩＰマルチキャストで受信し、複数のスライスグループ番号に対応した映像を同時に画面表示するものである。また、複数のスライスグループ番号に対応した映像を同時に画面表示時に画面上の番組を選択し他のＩＰマルチキャストを受信することにより視聴中の番組と同じ放送内容でありかつ高解像度の番組へ切替視聴をするデジタル番組受信装置である。
【０１０８】
図１０において、１００１はＩＰ受信手段としてのＩＰ受信部、１００２は集約チャンネル受信手段としての集約チャンネル受信部、１００３、１００５は番組選択部、１００４は編成チャンネル取得指示部、１００６〜１００８は映像復号化部、１００９は映像合成部、１０１０は映像切替手段としての映像切替部、１０１１は表示部である。
【０１０９】
実施の形態９の動作について状態遷移を用いて説明する。ＩＰ受信部１００１において受信した第一編成チャンネルの映像を表示している状態（状態ａ１という。）から、集約チャンネル受信部１００２において受信したＭＰＥＧ−２  ＴＳ内の映像ＥＳの複数のスライスグループの映像を複数同時に表示している状態（状態ａ２という。）を介して、ＩＰ受信部１００１において受信した第二編成チャンネルの映像を表示している状態（状態ａ３という。）へ遷移する内容について説明する。
【０１１０】
また、状態ａ２から集約チャンネル受信部１００２において受信した映像ＥＳのうち第一編成チャンネルの番組に対応したスライスグループ番号の映像を表示している状態（状態ａ４という。）へ遷移する動作、状態ａ４から集約チャンネル受信部１００２において受信した映像ＥＳのうち、第二編成チャンネルの番組に対応したスライスグループ番号の映像を表示している状態（状態ａ５という。）へ遷移する動作について説明する。また、集約チャンネル受信部１００２において受信した映像ＥＳのすべての編成チャンネルの番組に対応したスライスグループ番号の映像を表示している状態（状態ａ６という。）への遷移について説明する。
【０１１１】
はじめに、ＩＰ受信部１００１ではラストチャンネルなどにより第一編成チャンネルの番組へのＩＰマルチキャストＪＯＩＮ要求１０２１を行いＩＰマルチキャストを受信し、番組選択部１００３においてＳｅｒｖｉｃｅ＿ｉｄを指定し、映像復号化部１００６において映像復号化を行い、映像切替部１０１０において映像復号化部１００６の映像を選択し表示部１０１１において表示する（状態ａ１）。
【０１１２】
複数番組分割表示のためのリモコン操作を行った際に、第一編成チャンネルの番組のＩＰマルチキャストＬＥＡＶＥ要求１０２２を行い受信要求をキャンセルした後に集約チャンネルのＩＰマルチキャストＪＯＩＮ要求１０２４を行い、集約チャンネル受信部１００２において番組を受信する。
【０１１３】
集約チャンネル受信部１００２において受信した後は複数の編成チャンネルの映像を低帯域化したＭＰＥＧ−４  ＡＶＣ／Ｈ．２６４の矩形形状のスライスグループを同一ピクチャ内で含む映像を受信しているため、それぞれの番組を同時に表示することが可能である。
【０１１４】
番組選択部１００５において第一編成チャンネルの番組に対応するスライスグループ番号を指定し、映像復号化部１００７において対応するスライスグループの映像を復号して映像合成部１００９に入力する。また、番組選択部１００５において第二編成チャンネルの番組に対応するスライスグループ番号を指定し、映像復号化部１００８において対応するスライスグループの映像を復号して映像合成部１００９に入力する。映像合成部１００９において、分割画面表示できるように映像信号を構成して映像切替部１０１０において映像合成部１００９の映像を選択し切り替えて表示部１０１１において表示する（状態ａ２）。
【０１１５】
状態ａ２において、リモコンの画面操作により、第二編成チャンネルの番組を選択することで、編成チャンネル取得指示部１００４からの指示により、ＩＰ受信部１００１において、第二編成チャンネルの番組へのＩＰマルチキャストＪＯＩＮ要求１０２３を行いＩＰマルチキャストを受信し、番組選択部１００３においてＳｅｒｖｉｃｅ＿ｉｄを指定し、映像復号化部１００６において映像復号化を行い、映像切替部１０１０において映像復号化部１００６の映像を選択し切り替えて表示部１０１１において表示する（状態ａ３）。
【０１１６】
なお、状態ａ２において、映像復号化部１００７において対応するスライスグループ映像を復号したものを直接映像切替部１０１０へ入力し、リモコンの画面操作により、第二編成チャンネルの番組を選択することで、映像切替部１０１０において映像復号化部１００７の映像を選択し切り替えて表示部１０１１において拡大して表示する（状態ａ４）。
【０１１７】
また、状態ａ４において映像復号化部１００８において対応するスライスグループ映像を復号したものを直接映像切替部１０１０へ入力し、リモコンの画面操作により、第二編成チャンネルの番組を選択することで、映像切替部１０１０において映像復号化部１００８の映像を選択し切り替えて表示部１０１１において拡大して表示する（状態ａ５）。
【０１１８】
また、状態ａ２から状態ａ４または状態ａ５を介して状態ａ３へ遷移可能なことは言うまでもない。
【０１１９】
また、状態ａ２において番組選択部１００５において、すべての編成チャンネルの番組に対応するスライスグループ番号を指定し映像復号化部１００７において映像を復号して映像切替部１０１０において映像復号化部１００７の映像を選択し切り替えて表示部１０１１において表示することで、符号化されているすべての編成チャンネルの番組の分割画面表示を行うことが可能となる（状態ａ６）。
【０１２０】
また、映像復号化部１００７と映像復号化部１００８は同一の復号化部であって複数のスライスグループを復号してもよい。
【０１２１】
これにより映像切替部１０１０において、集約チャンネル内の映像を単独で表示することも複数の映像を分割して表示することも可能となる。また、集約チャンネル内の映像を連続して切り替え表示するなどの利用が可能となる。
【０１２２】
なお、上記ではシステム多重化ストリームとしてＭＰＥＧ−２  ＴＳを用いる例を述べたが、他のシステム多重化方法を用いてもよい。
【０１２３】
また本発明の実施の形態１０としては、図２のデジタル番組送信装置と、図５又は図６のデジタル番組受信装置とを具備してデジタル番組送受信システムを構築するものである（請求項９）。
【０１２４】
また本発明の実施の形態１１としては、図３のデジタル番組送信装置と、図７又は図８のデジタル番組受信装置とを具備してデジタル番組送受信システムを構築するものである（請求項１０）。
【０１２５】
また本発明の実施の形態１２としては、図４のデジタル番組送信装置と、図９又は図１０のデジタル番組受信装置とを具備してデジタル番組送受信システムを構築するものである（請求項１１）。
【０１２６】
また本発明の実施の形態１３としてのデジタル番組送信方法は、図２〜図４のデジタル番組送信装置の各部が行なう処理を各々実行するものである（請求項１２〜１４）。
【０１２７】
また本発明の実施の形態１４としてのデジタル番組受信方法は、図５〜図１０のデジタル番組受信装置の各部が行なう処理を各々実行するものである（請求項１５〜１７）。
【０１２８】
また、本実施形態のデジタル番組送信装置、デジタル番組受信装置における各手段の一部もしくは全部の機能をコンピュータのプログラムで構成し、そのプログラムをコンピュータを用いて実行して本発明を実現することができること、本実施形態のデジタル番組送信方法、デジタル番組受信方法における手順をコンピュータのプログラムで構成し、そのプログラムをコンピュータに実行させることができることは言うまでもなく、コンピュータでその機能を実現するためのプログラムを、そのコンピュータが読み取り可能な記録媒体、例えばＦＤ（Ｆｌｏｐｐｙ（登録商標）  Ｄｉｓｋ）や、ＭＯ（Ｍａｇｎｅｔｏ−Ｏｐｔｉｃａｌ  ｄｉｓｋ）、ＲＯＭ（Ｒｅａｄ  Ｏｎｌｙ  Ｍｅｍｏｒｙ）、メモリカード、ＣＤ（Ｃｏｍｐａｃｔ  Ｄｉｓｋ）−ＲＯＭ、ＤＶＤ（Ｄｉｇｉｔａｌ  Ｖｅｒｓａｔｉｌｅ  Ｄｉｓｋ）−ＲＯＭ、ＣＤ−Ｒ、ＣＤ−ＲＷ、ＨＤＤ、リムーバブルディスクなどに記録して、保存したり、配布したりすることが可能である。また、上記のプログラムをインターネットや電子メールなど、ネットワークを通して提供することも可能である。
【符号の説明】
【０１２９】
１０１…送信機
１０２、１０３…放送番組送信部
１０４、１０５…ＩＰ送信部
１０６…ルータ
１０７…エッジルータ
１０８…受信機
２０１、３０１、４０１…第一放送番組送出部
２０２、３０２、４０２…第二放送番組送出部
２０３、３０３、４０３…第一ＩＰ送信部
２０４、３０４、４０４…第二ＩＰ送信部
２０５、３０５、４０５…集約多重化部
２０６、２０７…トランスコード部
２０８、４０９…ストリーム多重化部
２０９、３０６、４１０…集約チャンネル送信部
４０６、４０７…デコード部
４０８…エンコード部
５０１、６０１、７０１、８０１、９０１、１００１…ＩＰ受信部
５０２、６０２、７０２、８０２、９０２、１００２…集約チャンネル受信部
５０３、５０５、６０３、６０５、７０３、７０５、８０３、８０５、９０３、９０５、１００３、１００５…番組選択部
５０４、６０４、７０４、８０４、９０４、１００４…編成チャンネル取得指示部
５０６、５０７、６０６、６０７、６０８、７０６、７０７、８０６、８０７、８０８、９０６、９０７、１００６、１００７、１００８…映像復号化部
５０８、６１０、７０８、８１０、９０８、１０１０…映像切替部
５０９、６１１、７０９、８１１、９０９、１０１１…表示部
５２１、６２１、７２１、８２１、９２１、１０２１…第一編成チャンネルへのＪＯＩＮ要求
５２２、６２２、９２２、１０２２…第一編成チャンネルへのＬＥＡＶＥ要求
５２３、６２３、９２３、１０２３…第二編成チャンネルへのＪＯＩＮ要求
５２４、６２４、７２２、８２２、９２４、１０２４…集約チャンネルへのＪＯＩＮ要求
６０９、８０９、１００９…映像合成部
【図１】
2011023829.tif 000003
【図２】
2011023829.tif 000004
【図３】
2011023829.tif 000005
【図４】
2011023829.tif 000006
【図５】
2011023829.tif 000007
【図６】
2011023829.tif 000008
【図７】
2011023829.tif 000009
【図８】
2011023829.tif 000010
【図９】
2011023829.tif 000011
【図１０】
2011023829.tif 000012